(57)【要約】【課題】  撮影日時を撮影時に画像に埋め込むことにより、保険会社などの証拠写真として使用可能となる。また、重力センサーによるカメラの姿勢検知により、画像に埋め込む文字の位置と向きを変更することにより、自然な位置への埋め込みを自動的に行う【解決手段】  画像を撮影する撮影手段と、前記画像の撮影時に係る姿勢を検知する姿勢検知手段と、撮影時に前記画像に対して図形を埋め込む図形刷込み手段とを有し、前記図形刷込み手段は、撮影時に前記姿勢検出手段の検知結果に基づいて、図形の位置と方向を変更する。【選択図】        図７
2005204033.tif 000002
【特許請求の範囲】
【請求項１】
画像を撮影する撮影手段と、
前記画像の撮影時に係る姿勢を検知する姿勢検知手段と、
撮影時に前記画像に対して図形を埋め込む図形刷込み手段とを有し、
前記図形刷込み手段は、
撮影時に前記姿勢検出手段の検知結果に基づいて、
図形の位置と方向を変更することを特徴とする画像撮像装置。
【請求項２】
請求項１に記載の画像撮像装置において、
前記図形とは、文字であることを特徴とする画像撮像装置。
【請求項３】
請求項２に記載の画像撮像装置において、
前記図形とは、撮影日時であることを特徴とする画像撮像装置。
【請求項４】
請求項２に記載の画像撮像装置において、
前記図形とは、撮影パラメタであることを特徴とする画像撮像装置。
【請求項５】
請求項１に記載の画像撮像装置において、
前記図形とは、任意の画像データ或いは図形データであることを特徴とする画像撮像装置。
【発明の詳細な説明】
【技術分野】
【０００１】
本発明は画像撮像装置に関し、特に、該装置において、画像を撮像、記録する画像撮像装置制御方法に関するものである。
【背景技術】
【０００２】
従来、利用者の好みにより、銀塩プリントであるように撮影した画像に日付をつけて印刷する場合もあり、電子カメラでも印刷時に撮影日時情報を元に撮影日時も一緒に印刷するか否かを選択可能である。また、重力センサーを有する電子カメラにおいて、撮影時のカメラの姿勢を検知して縦撮影か横撮影かを判断し、再生表示時には撮影時の縦横情報を元に画像の向きを変えて表示することにより、カメラの向きを変えることなく画像を正しい位置で閲覧可能となることが知られている。下記、特許文献１にあるように、印刷時に撮影日時も付加して印刷したい場合には、撮影時の縦横情報を元に画像の向きと撮影日時を表す文字の位置と方向を決定し、縦位置・横位置それぞれで自然な位置に日付を印字するため、より自然なプリント出力が可能となる。
【特許文献１】特開２００３−２３７１７０号公報
【発明の開示】
【発明が解決しようとする課題】
【０００３】
例えば、撮影時の情報である撮影日時は、パソコンなどを用いて後で修正することが可能であるため、撮影した日時を特定する必要がある保険会社等での証拠写真としては利用することができなかった。
【０００４】
本発明は、上述の問題点に着目してなされたものであって、撮影日時を撮影時に画像に埋め込むことにより、保険会社などの証拠写真として使用可能となり、また、重力センサーによるカメラの姿勢検知により、画像に埋め込む文字の位置と向きを変更することにより、自然な位置への埋め込みを自動的に行うことのできる画像撮像装置の提供を目的とする。
【課題を解決するための手段】
【０００５】
上記の課題を解決するために請求項１の発明によると、
画像を撮影する撮影手段と、
前記画像の撮影時に係る姿勢を検知する姿勢検知手段と、
撮影時に前記画像に対して図形を埋め込む図形刷込み手段とを有し、
前記図形刷込み手段は、
撮影時に前記姿勢検出手段の検知結果に基づいて、
図形の位置と方向を変更することを特徴とする画像撮像装置により、
撮影時に、重力センサーによりカメラの向きを検知し、利用者は図形データの埋め込み位置や方向を気にすることなく、自然な位置でかつ自然な方向に埋め込むことが可能となる。
【０００６】
請求項２の発明によると、
請求項１に記載の画像撮像装置において、
前記図形とは、文字であることを特徴とする画像撮像装置により、
文字をカメラの姿勢に基づき、自然な位置でかつ自然な方向に文字を埋め込むことが可能となる。
【０００７】
請求項３の発明によると、
請求項１に記載の画像撮像装置において、
前記図形とは、撮影日時であることを特徴とする画像撮像装置により、
日付日時を撮影時のカメラの姿勢に基づき、自然な位置でかつ自然な方向に文字を埋め込むことが可能となる。
【０００８】
請求項４の発明によると、
前記文字とは、撮影パラメタであることを特徴とする画像撮像装置により、
シャッター速度、絞り値、ＩＳＯ感度などの撮影時のパラメタを撮影時のカメラの姿勢に基づき、自然な位置に文字を印刷することが可能となる。
【０００９】
請求項５の発明によると、
請求項１に記載の画像撮像装置において、
前記図形とは、任意の画像データ或いは図形データであることを特徴とする画像撮像装置により、
利用者が任意の画像データや図形データを画像に埋め込み可能となり、その画像データや図形データを自然な位置でかつ自然な方向に埋め込むことが可能となる。
【発明の効果】
【００１０】
本発明によれば、撮影時に画像に日付などの図形データを埋め込むことにより、証拠写真として画像を利用することが可能となる。また、あらかじめ利用者がカメラの姿勢を自動検知して日付を埋め込むように指示をしておくだけで、利用者は撮影時に意識しなくても、自動的に電子カメラがカメラの姿勢を検知して、画像の自然な位置に日付を埋め込むことが可能となり、顕著な効果を発揮する。
【発明を実施するための最良の形態】
【００１１】
以下に、本発明を実施するための最良の形態を、実施例に基づいて説明する。
【実施例】
【００１２】
（第１の実施例）
以下、図面を参照して本発明の実施例を説明する。
【００１３】
図１は、本発明の実施例の構成を示す図である。
【００１４】
図１において、１００は画像処理装置である。
【００１５】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１６】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１７】
２０は画像処理回路であり、Ａ／Ｄ変換器１６からのデータ或いはメモリ制御回路２２からのデータに対して所定の画素補間処理や色変換処理を行う。
【００１８】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００１９】
さらに、画像処理回路２０においては、撮像した画像データを用いて所定の演算処理を行い、得られた演算結果に基づいてＴＴＬ方式のＡＷＢ（オートホワイトバランス）処理も行っている。
【００２０】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２１】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２２】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００２３】
画像表示部２８を用いて撮像した画像データを逐次表示すれば、電子ファインダ機能を実現することが可能である。
【００２４】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００２５】
３０は撮影した静止画像や動画像を格納するためのメモリであり、所定枚数の静止画像や所定時間の動画像を格納するのに十分な記憶量を備えている。
【００２６】
これにより、複数枚の静止画像を連続して撮影する連射撮影やパノラマ撮影の場合にも、高速かつ大量の画像書き込みをメモリ３０に対して行うことが可能となる。
【００２７】
また、メモリ３０はシステム制御回路５０の作業領域としても使用することが可能である。
【００２８】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２９】
４０は絞り機能を備えるシャッター１２を制御する露光制御手段であり、フラッシュ４８と連携することによりフラッシュ調光機能も有するものである。
【００３０】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００３１】
４８はフラッシュであり、ＡＦ補助光の投光機能、フラッシュ調光機能も有する。
【００３２】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００３３】
５０は画像処理装置１００全体を制御するシステム制御回路、５２はシステム制御回路５０の動作用の定数、変数、プログラム等を記憶するメモリである。
【００３４】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００３５】
また、表示部５４は、その一部の機能が光学ファインダ１０４内に設置されている。
【００３６】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。
【００３７】
また、表示部５４の表示内容のうち、光学ファインダ１０４内に表示するものとしては、合焦表示、手振れ警告表示、フラッシュ充電表示、シャッタースピード表示、絞り値表示、露出補正表示、等がある。
【００３８】
５６は電気的に消去・記録可能な不揮発性メモリであり、例えばＥＥＰＲＯＭ等が用いられる。
【００３９】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００４０】
ここで、これらの操作手段の具体的な説明を行う。
【００４１】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００４２】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００４３】
６４はシャッタースイッチＳＷ２で、不図示のシャッターボタンの操作完了でＯＮとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００４４】
６６は画像表示ＯＮ／ＯＦＦスイッチで、画像表示部２８のＯＮ／ＯＦＦを設定することが出来る。
【００４５】
この機能により、光学ファインダ１０４を用いて撮影を行う際に、ＴＦＴ  ＬＣＤ等から成る画像表示部への電流供給を遮断することにより、省電力を図ることが可能となる。
【００４６】
６８はクイックレビューＯＮ／ＯＦＦスイッチで、撮影直後に撮影した画像データを自動再生するクイックレビュー機能を設定する。なお、本実施例では特に、画像表示部２８をＯＦＦとした場合におけるクイックレビュー機能の設定をする機能を備えるものとする。
【００４７】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、画像削除ボタン、画像削除取消しボタン等がある。
【００４８】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４９】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００５０】
９０及び９４はメモリカードやハードディスク等の記録媒体とのインターフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００５１】
なお、本実施例では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００５２】
インターフェース及びコネクタとしては、ＰＣＭＣＩＡカードやＣＦ（コンパクトフラッシュ（登録商標））カード等の規格に準拠したものを用いて構成して構わない。
【００５３】
さらに、インターフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００５４】
１０２は、画像処理装置１００のレンズ１０を含む撮像部を覆う事により、撮像部の汚れや破損を防止するバリアである保護手段である。
【００５５】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【００５６】
１０６はカメラ姿勢検知部であり、画像処理装置１００の姿勢状態、すなわち本装置に設けられている撮像素子１４の撮像面の向きの状態を検出する。姿勢状態を検知するセンサーとしては、例えば重力センサーを使用する。１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００５７】
１１２は通信手段１１０により画像処理装置１００を他の機器と接続するコネクタ或いは無線通信の場合はアンテナである。
【００５８】
２００はメモリカードやハードディスク等の記録媒体である。
【００５９】
記録媒体２００は、半導体メモリや磁気ディスク等から構成される記録部２０２、画像処理装置１００とのインターフェース２０４、画像処理装置１００と接続を行うコネクタ２０６を備えている。
【００６０】
２１０はメモリカードやハードディスク等の記録媒体である。
【００６１】
記録媒体２１０は、半導体メモリや磁気ディスク等から構成される記録部２１２、画像処理装置１００とのインターフェース２１４、画像処理装置１００と接続を行うコネクタ２１６を備えている。
【００６２】
図２は、本画像装置を適用した電子カメラの斜視図である。
【００６３】
２−１は電源ＯＮ／ＯＦＦのためのボタンである。２−２はモード切り替えレバーで、撮影モード、再生モード、動画撮影モード、静止画撮影モード等の各機能モードを切り替え設定することができる。２−３はシャッターボタンを示す。カメラの撮影画像は画像表示部に表示されるが、これは通常ＬＣＤ（液晶ディスプレイ）を使用しているので、以下、ＬＣＤと称する。静止画像及び或るいは動画像の再生等のための画面もこのＬＣＤ２−４に表示される。２−５はＭＥＮＵボタンで、撮影パラメタやカメラの設定を変更するためのメニュー画面に出入りするためのボタンである。２−６はＳＥＴボタンで、メニューの決定等に使用する。２−７は削除ボタンで、画像の削除を指定することができる。２−８はＤＩＳＰボタンで、ＬＣＤ２−４における表示の有り無しなどを切り替えるボタンである。２−９は十字ボタンで、この上下左右ボタンを使ってメニュー画面での項目の移動などを行ったり、再生モードでは左右ボタンを押して画像送りを行ったりするのに使用する。
【００６４】
図３・図４は、ＬＣＤ２−４上の表示をあらわす。
【００６５】
撮影モードでＭＥＮＵボタンを押すと、図３（ａ）に示すようなメニュー画面が表示される。十字ボタンの上下ボタンでメニューの項目を移動し、「日付写し込み」を選択し、左右ボタンで図３（ａ）「なし」を選択すると、撮影時の画像への日付埋め込みを行わないように設定できる。図３（ｂ）「日付のみ」を選択すると、撮影時の画像への日付のみの埋め込みを行うように設定できる。図３（ｃ）「日付＋時刻」を選択すると、撮影時の画像への日付と時刻の埋め込みを行うように設定できる。
【００６６】
撮影モードでＭＥＮＵボタンを押し、左右ボタンで設定メニューを選択し、上下ボタンで「縦横自動回転」を選択すると、重力センサーによるカメラの姿勢検知部１０６により、撮影時のカメラの向きを判断し、撮影情報にカメラの向きの情報が付加される。
【００６７】
撮影モードにて使用者がシャッターボタンを押すと、画像を生成し、生成した画像に対して設定に従って日付を埋め込む処理の流れを図７に示す。
【００６８】
前述した図３において、日付写し込みの設定が「日付のみ」あるいは「日付＋時刻」になっているか、つまり、日付埋め込みがＯＮであるかどうかをチェックする（Ｓ７−１）。図５，６では、「日付＋時刻」を選択しているときの画像への日付埋め込みの状態を示す。
【００６９】
日付埋め込みがＯＮだった場合、縦横自動回転の設定が「入」となっているかをチェックする（Ｓ７−２）。縦横自動回転が「入」の場合、撮影時にカメラの姿勢を検知し、画像への日付の写し込み位置と文字の方向を決定する。本例では一例として、重力センサーにより、撮影時のカメラの姿勢を図５、６に示すように、（ａ）カメラの向き＝１、（ｂ）カメラの向き＝２、（ｃ）カメラの向き＝３という３つの向きを検知する。本例では、カメラが天地を逆にして撮影する用途はあまり考えられないので、この姿勢を検知しないこととする。
【００７０】
縦横自動回転が「入」になっていなかった場合（Ｓ７−２）の日付の埋め込み位置を図５に示す。重力センサーによるカメラの姿勢検知を行わないため、撮影時のカメラの向きが１（図５（ａ））でも２（図５（ｂ））でも３（図５（ｃ））であっても、日付埋め込みの位置＝１となり（Ｓ７−３）、画像への日付埋め込みは右下に埋め込まれる。
【００７１】
このときに縦位置自動回転が「入」になっていた場合（Ｓ７−２）の日付の埋め込み位置を図６に示す。カメラの姿勢検知によりカメラの向きが検知され、カメラの向き＝１だったと判断した場合（Ｓ７−４）、図６（ａ）に示すように日付埋め込みの位置＝１となり（Ｓ７−５）、日付は右下に埋め込むことを決定する。カメラの向き＝２だったと判断した場合（Ｓ７−６）は、図６（ｂ）に示すように日付埋め込み位置＝２となり（Ｓ７−８）、日付は右上に埋め込まれ、文字の方向もカメラの姿勢にあわせて決定する。カメラの姿勢が１でも２でもない場合はカメラの向き＝３だったということになるので、日付埋め込み位置＝３となり（Ｓ７−７）、図６（ｃ）に示すように日付は左下に埋め込まれ、同様に文字の方向もカメラの姿勢にあった方向に決定する。以上のように、日付埋め込みＯＮ時の日付埋め込み位置と文字の向きが決定すると、決定された日付埋め込み位置に応じて画像に日付を埋め込む（Ｓ７−９）。
【００７２】
以上の日付埋め込み処理が完了すると、画像データを圧縮して記録媒体に記録する。
【００７３】
（第２の実施例）
図８に示すように、撮影画像に埋め込む文字は、露出や絞り値、ＩＳＯ感度などの撮影パラメタでもありうる。
【００７４】
（第３の実施例）
図９に示すように、撮影画像に埋め込むのはアイコンなどの図形でもありうる。
【００７５】
（第４の実施製）
図１０に示すように、利用者が撮影画像に埋め込む画像データや図形データを自由に設定する手段を提供し、その文字や図形を画像に埋め込むこともありうる。
【図面の簡単な説明】
【００７６】
【図１】本発明の一実施例の構成ブロック図である。
【図２】本発明の画像再生装置を適用した電子カメラの斜視図である。
【図３】本発明のＬＣＤ上の表示を示す図である。
【図４】本発明のＬＣＤ上の表示を示す図である。
【図５】縦横自動回転が「切」に設定されていた場合の画像への日付埋め込み位置を示す図である。
【図６】縦横自動回転が「入」に設定されていた場合の画像への日付埋め込み位置を示す図である。
【図７】撮影時に生成した画像に対して設定に従って日付を埋め込む処理の流れを示す図である。
【図８】第２の実施例を示す図である。
【図９】第３の実施例を示す図である。
【図１０】第４の実施例を示す図である。
【符号の説明】
【００７７】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  画像表示ＯＮ／ＯＦＦスイッチ
６８  クイックレビューＯＮ／ＯＦＦスイッチ
７０  操作部
８０  電源制御手段
８２  コネクタ
８４  コネクタ
８６  電源手段
９０  インターフェース
９２  コネクタ
９４  インターフェース
９６  コネクタ
９８  記録媒体着脱検知手段
１００  画像処理装置
１０２  保護手段
１０４  光学ファインダ
１０６  カメラ姿勢検知部
１１０  通信手段
１１２  コネクタ（またはアンテナ）
２００  記録媒体
２０２  記録部
２０４  インターフェース
２０６  コネクタ
２１０  記録媒体
２１２  記録部
２１４  インターフェース
２１６  コネクタ
２−１  電源ＯＮ／ＯＦＦボタン
２−２  モード切り替えレバー
２−３  シャッターボタン
２−４  ＬＣＤ
２−５  ＭＥＮＵボタン
２−６  ＳＥＴボタン
２−７  削除ボタン
２−８  ＤＩＳＰボタン
２−９  十字ボタン
【図１】
2005204033.tif 000003
【図２】
2005204033.tif 000004
【図５】
2005204033.tif 000005
【図６】
2005204033.tif 000006
【図７】
2005204033.tif 000007
【図８】
2005204033.tif 000008
【図９】
2005204033.tif 000009
【図１０】
2005204033.tif 000010
【図３】
2005204033.tif 000011
【図４】
2005204033.tif 000012